(57)【要約】【課題】食事用ナプキンとして用いることができ、かつ、布が厚くても美しく折畳むことができるハンカチを提供する。【解決手段】一枚布状のハンカチであって、下半分２が矩形状に形成され、上半分３に、首に引掛けるための首引掛部１を有する。首引掛部１が、切欠き４と、切欠き４の左右に配設されるとともに相互に結んで首Ｋに取付けるための一対の紐片部５から成る。かつ、切欠き４の最下点Ｐを上半分３の上下方向中央位置より下側に配設する。【選択図】図１
0003125282.tif 000002
【実用新案登録請求の範囲】
【請求項１】
一枚布状のハンカチであって、下半分（２）が矩形状に形成され、上半分（３）に、首（Ｋ）に引掛けるための首引掛部（１）を有し、
該首引掛部（１）が、切欠き（４）と、該切欠き（４）の左右に配設されるとともに相互に結んで首（Ｋ）に取付けるための一対の紐片部（５）から成り、
かつ、上記切欠き（４）の最下点（Ｐ）を上記上半分（３）の上下方向中央位置より下側に配設したことを特徴とするハンカチ。
【請求項２】
全体を上下二つ折りにした状態に於て、４分割した分割部（11）の中心部分（Ｒ）のうち下側の２つの中心部分（Ｒ）が１枚であって重ならないように、上記切欠き（４）を配設した請求項１記載のハンカチ。
【請求項３】
一枚布状のハンカチであって、下半分（２）が矩形状に形成され、上半分（３）に、首（Ｋ）に引掛けるための首引掛部（１）を有し、
該首引掛部（１）が、頭部（Ｔ）を挿通する孔部（７）と、該孔部（７）の上縁（８）及び左右側縁（９）に配設された連続帯部（10）から成り、
かつ、上記孔部（７）の最下点（Ｑ）を上記上半分（３）の上下方向中央位置より下側に配設したことを特徴とするハンカチ。
【請求項４】
首（Ｋ）に引掛けた食事用ナプキンとしての使用状態で、胸（Ｍ）、及び、大腿（Ｄ）の一部乃至全部を被覆するように、平面展開状態の上下長さ寸法（Ｌ）を設定した請求項１，２又は３記載のハンカチ。
【考案の詳細な説明】
【技術分野】
【０００１】
本考案は、ハンカチに関する。
【背景技術】
【０００２】
従来、ハンカチは常に携帯するものであり、そのハンカチに、ハンカチ以外の目的に利用するもの─────例えばめがね拭き────を組み合わせた（連結した）ものがある（例えば、特許文献１参照）。
【０００３】
しかし、ハンカチそのものを食事用ナプキンとして用いようとすると、布が厚くなりがちであるにもかかわらず、折り畳む時にひとつの角部分が厚くなり、美しく折り畳むことができないという欠点があった。
【特許文献１】特開２００４−２７７９４２号公報
【考案の開示】
【考案が解決しようとする課題】
【０００４】
解決しようとする課題は、ハンカチそのものを食事用ナプキンとして用いようとすると、布が厚くなりがちであるにもかかわらず、美しく折畳むことができない点である。そして、開いてしまう点である。
【課題を解決するための手段】
【０００５】
そこで、本考案に係るハンカチは、一枚布状のハンカチであって、下半分が矩形状に形成され、上半分に、首に引掛けるための首引掛部を有し、該首引掛部が、切欠きと、該切欠きの左右に配設されるとともに相互に結んで首に取付けるための一対の紐片部から成り、かつ、上記切欠きの最下点を上記上半分の上下方向中央位置より下側に配設したものである。
また、全体を上下二つ折りにした状態に於て、４分割した分割部の中心部分のうち下側の２つの中心部分が１枚であって重ならないように、上記切欠きを配設したものである。
【０００６】
また、一枚布状のハンカチであって、下半分が矩形状に形成され、上半分に、首に引掛けるための首引掛部を有し、該首引掛部が、頭部を挿通する孔部と、該孔部の上縁及び左右側縁に配設された連続帯部から成り、かつ、上記孔部の最下点を上記上半分の上下方向中央位置より下側に配設したものである。
また、首に引掛けた食事用ナプキンとしての使用状態で、胸、及び、大腿の一部乃至全部を被覆するように、平面展開状態の上下長さ寸法Ｌを設定したものである。
【考案の効果】
【０００７】
本考案のハンカチによれば、食事用ナプキンとして用いることができ、かつ、布が厚くても美しく折畳むことができる。そして、ハンカチ携帯時及びハンカチ使用時に、不意に開くのを防止することができる。さらに、安価かつ容易に製作が可能で、実用的に優れている。
【考案を実施するための最良の形態】
【０００８】
図１・図２は、本考案の第１の実施の形態の使用状態を示す。このハンカチは、布Ｎから成る。そして、食事用ナプキンとして使用して、食べこぼしなどによって服Ｙ（洋服又は和服）が汚れるのを防止することができる。後述の首引掛部１を首に引掛けて使用する。
【０００９】
具体的には、図３に示すように、一枚布状のハンカチであって、下半分２が矩形状に形成され、上半分３に、首Ｋ（図１・図２参照）に引掛けるための首引掛部１を有している。首引掛部１が、切欠き４と、切欠き４の左右に配設されるとともに相互に結んで全体を首Ｋに取付けるための一対の紐片部５から成る。切欠き４の最下点Ｐが上半分３の上下方向中央位置（図３の２点鎖線Ｘ0 ）より下側に配設されている。そでぐり６を有するのが好ましい。そでぐり６を有するものは、食事用ナプキンとしての装着時に、装着感が良い。すなわち、腕Ａを動かす際に、ハンカチが邪魔になったりめくれたりすることを防止することができ、正しい装着状態のままで腕Ａを容易に動かすことができる。
【００１０】
図４は、図３の２点鎖線Ｘ1 の位置で半分に折り畳んだ状態を示す。携帯するには、さらに、２点鎖線Ｘ2 、２点鎖線Ｘ3 の位置で折り畳むが、このとき、中心部分Ｇで布が重なる枚数は、切欠き４がない場合では８枚であるところが、本考案では切欠き４がありかつ切欠き４の最下点Ｐが上半分３の上下方向中央位置（図３の２点鎖線Ｘ0 ）より下側に配設されているので４枚のみとなり、折り畳んだときに重なる布Ｎの枚数を低減（半減）させることができる。そして、厚い布Ｎから成る場合にも、美しく折り畳むことができる。
【００１１】
図１〜図３にもどって、首Ｋに引掛けた食事用ナプキンとしての使用状態で、胸Ｍ、及び、大腿Ｄの一部乃至全部を被覆するように、平面展開状態の上下長さ寸法Ｌが設定されている。例えば、大人用の場合、80cm≦Ｌ≦ 100cmに設定するのが好ましい。上下長さ寸法Ｌがこの範囲にある場合、胸Ｍ及び大腿Ｄの一部乃至全部に相当する部分の服Ｙを適切に食べこぼしなどによる汚れから守ることができる。上下長さ寸法ＬがＬ＜80cmの場合、大腿Ｄに相当する部分の服Ｙの汚れを防止することができない虞れがある。 100cm＜Ｌの場合、不必要に全体の面積が大きくなり、折り畳んだときにかさばるので、携帯しづらいという欠点がある。
【００１２】
図５は、第２の実施の形態を示す。首引掛部１が、頭部Ｔ（図１・図２参照）を挿通する孔部７と、孔部７の上縁８及び左右側縁９に配設された連続帯部10から成る。孔部７の最下点Ｑが上半分の上下方向中央位置（図３の２点鎖線Ｘ0 ）より下側に配設されている。その他の構成は、第１の実施の形態と同様である。
【００１３】
図６は、第３の実施の形態を示す。全体を上下二つ折りにした状態（二つ折り状態）に於て、４分割した分割部11の中心部分Ｒのうち下側の２つの中心部分Ｒが１枚であって重ならないように、切欠き４が配設されている。本考案に於て「４分割」とは、仮想的に、上下に（正面視）２等分し、かつ、左右に（正面視）２等分することをいうと定義する。携帯するには、さらに、２点鎖線Ｘ2 、２点鎖線Ｘ3 、２点鎖線Ｘ4 、２点鎖線Ｘ5 、２点鎖線Ｘ6 、２点鎖線Ｘ7 の位置で折り畳むが、折り畳んだときに重なる布Ｎの枚数を低減させることができる。そして、厚い布Ｎから成る場合にも、美しく折り畳むことができる。その他の構成は、第１の実施の形態と同様である。
【００１４】
なお、本考案は、設計変更可能であって、例えば、第１の実施・第３の実施の形態のそでぐり６を省略したものとするも良い。また、第２の実施の形態にそでぐり６を設けたものとするも良い。また、部分的に異なる布Ｎを用いて相互に縫製し、一枚布状とするも良い。例えば、首引掛部１をそれ以外の部分とは異なる布Ｎ（りぼん、紐帯等）とするも良い。また、種々の装飾を施すも良い。例えば、周囲にレースを縫製するも良い。また、胸Ｍの部分のみを被覆するように、平面展開状態の上下長さ寸法Ｌを設定するも良い。
【００１５】
以上のように、本考案は、一枚布状のハンカチであって、下半分２が矩形状に形成され、上半分３に、首Ｋに引掛けるための首引掛部１を有し、首引掛部１が、切欠き４と、切欠き４の左右に配設されるとともに相互に結んで首Ｋに取付けるための一対の紐片部５から成り、かつ、切欠き４の最下点Ｐを上半分３の上下方向中央位置より下側に配設したので、ハンカチのみならず食事用ナプキンとしても用いることができる。すなわち、普段はハンカチとして持ち歩くことができ、食事の時は食事用ナプキンとして使用することができる。
【００１６】
外食時に、紙エプロンを用意している店が少ないが、本考案のハンカチを持っていると、食事用ナプキンとして使用することができ、便利である。通常のハンカチを食事用ナプキンとして襟に挟み込んだり膝に置いたりすると、知らないうちに落ちたりするが、本考案のハンカチは、確実に首Ｋに取付けることができる。そして、襟に挟み込まないので、服Ｙが型崩れするのを防止することができる。つまり、和服、洋服のいずれにも使用することができる。特に、和服の襟元が乱れるのを防止することができる。さらに、髪形を選ばずに使用することができる。
【００１７】
かつ、布Ｎが厚くても美しく折畳むことができる。そして、折畳み状態のハンカチが、ハンカチ携帯時及びハンカチ使用時に不意に開くのを防止することができる。一対の紐片部５を相互に結んでそれらの摩擦により確実に首Ｋへの取付状態を保持することができる。さらに、安価かつ容易に製作が可能で、実用的に優れている。
【００１８】
また、全体を上下二つ折りにした状態に於て、４分割した分割部11の中心部分Ｒのうち下側の２つの中心部分Ｒが１枚であって重ならないように、切欠き４を配設したので、全体を多数回（例えば４、５回）折り畳んでも、美しく折畳むことができる。
【００１９】
また、一枚布状のハンカチであって、下半分２が矩形状に形成され、上半分３に、首Ｋに引掛けるための首引掛部１を有し、首引掛部１が、頭部Ｔを挿通する孔部７と、孔部７の上縁８及び左右側縁９に配設された連続帯部10から成り、かつ、孔部７の最下点Ｑを上半分３の上下方向中央位置より下側に配設したので、ハンカチのみならず食事用ナプキンとしても用いることができる。すなわち、普段はハンカチとして持ち歩くことができ、食事の時は食事用ナプキンとして使用することができる。
【００２０】
外食時に、紙エプロンを用意している店が少ないが、本考案のハンカチを持っていると、食事用ナプキンとして使用することができ、便利である。通常のハンカチを食事用ナプキンとして襟に挟み込んだり膝に置いたりすると、知らないうちに落ちたりするが、本考案のハンカチは、確実に首Ｋに取付けることができる。そして、襟に挟み込まないので、服Ｙが型崩れするのを防止することができる。つまり、和服、洋服のいずれにも使用することができる。特に、和服の襟元が乱れるのを防止することができる。
【００２１】
かつ、布Ｎが厚くても美しく折畳むことができる。そして、折畳み状態のハンカチがハンカチ携帯時及びハンカチ使用時に不意に開くのを防止することができる。容易に装着することができる。すなわち、結ぶ等の手間を省くことができる。そして、確実に首Ｋへの取付状態を保持することができる。肩も覆うことができる。さらに、安価かつ容易に製作が可能で、実用的に優れている。
【００２２】
首Ｋに引掛けた食事用ナプキンとしての使用状態で、胸Ｍ、及び、大腿Ｄの一部乃至全部を被覆するように、平面展開状態の上下長さ寸法Ｌを設定したので、適切に食事中の食べこぼし等によって服Ｙが汚れるのを防止することができる。
【図面の簡単な説明】
【００２３】
【図１】第１の実施の形態の使用状態を示す正面図である。
【図２】側面図である。
【図３】平面展開状態を示す正面図である。
【図４】半分に折り畳んだ状態を示す正面図である。
【図５】第２の実施の形態を示す正面図である。
【図６】第３の実施の形態を半分に折り畳んだ状態を示す正面図である。
【符号の説明】
【００２４】
１  首引掛部
２  下半分
３  上半分
４  切欠き
５  紐片部
７  孔部
８  上縁
９  左右側縁
10  連続帯部
11  分割部
Ｄ  大腿
Ｋ  首
Ｌ  上下長さ寸法
Ｍ  胸
Ｐ  最下点
Ｑ  最下点
Ｒ  中心部分
Ｔ  頭部
【図１】
0003125282.tif 000003
【図２】
0003125282.tif 000004
【図３】
0003125282.tif 000005
【図４】
0003125282.tif 000006
【図５】
0003125282.tif 000007
【図６】
0003125282.tif 000008